(57)【要約】【課題】安定した状態での設置機器の運搬を可能にする設置機器の運搬方法を得る。【解決手段】外形が直方体状の燃料電池ユニット１０の両端部のそれぞれにおける下方側に、燃料電池ユニット１０の短手方向を挿通方向としてかつ当該挿通方向と直交する方向に離間して一対の被挿通部１６が配置されている。そして、燃料電池ユニット１０の両端部のそれぞれにおいて、被挿通部１６には、リフトストラップ１８が挿通され、リフトストラップ１８は、その一方側と他方側とが接続される。一方、リフトストラップ１８に連結されるリフトハーネス２０は、使用者２２と使用者２４とのそれぞれに装着されている。そして、リフトストラップ１８をカラビナ３６、３８に連結した状態で、使用者２２、２４によって燃料電池ユニット１０が持ち上げられる。【選択図】図２
2018177522.tif 000002
【特許請求の範囲】
【請求項１】
外形が直方体状の設置機器の運搬方法であって、
前記設置機器の両端部のそれぞれにおける下方側に当該設置機器の長手方向又は短手方向を挿通方向として当該挿通方向と直交する方向に離間して配置された一対の被挿通部のそれぞれに、リフトストラップを通して当該リフトストラップの一方側と他方側とを接続し、
一対の環状ストラップと、当該環状ストラップと前記リフトストラップとを連結する連結部と、を備えたリフトハーネスを当該環状ストラップのそれぞれに腕を通した状態で第１の使用者と第２の使用者とがそれぞれ装着し、
前記設置機器の一端部側のリフトストラップを第１の使用者に装着されたリフトハーネスの前記連結部に連結し、当該設置機器の他端部側のリフトストラップを第２の使用者に装着されたリフトハーネスの前記連結部に連結させる、
設置機器の運搬方法。
【請求項２】
前記被挿通部は、前記設置機器の両端部のそれぞれにおける下方側に互いに離間して設けられた一対の脚部にそれぞれ設けられている、
請求項１に記載の設置機器の運搬方法。
【請求項３】
前記被挿通部は、前記設置機器の長手方向の端部に設けられている、
請求項１又は請求項２に記載の設置機器の運搬方法。
【発明の詳細な説明】
【技術分野】
【０００１】
本発明は、設置機器の運搬方法に関する。
【背景技術】
【０００２】
下記特許文献１には、重量物の持ち上げ用のハーネスに関する発明が開示されている。この重量物の持ち上げ用のハーネスでは、リフトハーネスが、一対の環状部を含んで８の字状に構成されたストラップと、これらの環状部を連結するバックルとを含んで構成されており、二人の使用者のそれぞれに装着されている。一方、重量物の下にはリフトストラップが通されており、このリフトストラップの一端部は、一方の使用者に装着されたリフトハーネスのバックルに連結されており、リフトストラップの他端部は、他方の使用者に装着されたリフトハーネスのバックルに連結されている。このため、下記先行技術では、重量物の運搬時において、二人の使用者は、腕を使わずに重量物を持ち上げることができ、その結果、自由な状態の両腕を使って重量物を安定させることができる。
【先行技術文献】
【特許文献】
【０００３】
【特許文献１】米国特許ＵＳ７３３１４９３Ｂ２号
【発明の概要】
【発明が解決しようとする課題】
【０００４】
しかしながら、上記先行技術では、重量物の下方側が、この重量物の下に通されたストラップのみで支持されているため、落下による影響が大きい重量物、特に設置機器の運搬時等において、安定性を確保するという点においては改善の余地がある。
【０００５】
本発明は、このような事情に鑑みてなされたものであり、安定した状態での設置機器の運搬を可能にする設置機器の運搬方法を得ることが目的である。
【課題を解決するための手段】
【０００６】
第１態様に係る設置機器の運搬方法は、外形が直方体状の設置機器の運搬方法であって、前記設置機器の両端部のそれぞれにおける下方側に当該設置機器の長手方向又は短手方向を挿通方向として当該挿通方向と直交する方向に離間して配置された一対の被挿通部のそれぞれに、リフトストラップを通して当該リフトストラップの一方側と他方側とを接続し、一対の環状ストラップと、当該環状ストラップと前記リフトストラップとを連結する連結部と、を備えたリフトハーネスを当該環状ストラップのそれぞれに腕を通した状態で第１の使用者と第２の使用者とがそれぞれ装着し、前記設置機器の一端部側のリフトストラップを第１の使用者に装着されたリフトハーネスの前記連結部に連結し、当該設置機器の他端部側のリフトストラップを第２の使用者に装着されたリフトハーネスの前記連結部に連結させている。
【０００７】
第１態様に係る設置機器の運搬方法では、外形が直方体状の設置機器の両端部のそれぞれにおける下方側に、当該設置機器の長手方向又は短手方向を挿通方向としてかつ当該挿通方向と直交する方向に離間して一対の被挿通部が配置されている。そして、設置機器の両端部のそれぞれにおいて、被挿通部には、リフトストラップが挿通され、当該リフトストラップは、その一方側と他方側とが接続される。なお、ここでいう「接続」には、直接接続される状態のみでなく、部材等を介して間接的に接続される状態も含まれる。
【０００８】
一方、リフトストラップに連結されるリフトハーネスは、第１の使用者と第２の使用者とのそれぞれに装着される。このリフトハーネスは、一対の環状ストラップと、当該環状ストラップとリフトストラップとを連結する連結部とを備えており、第１の使用者及び第２の使用者は、環状ストラップのそれぞれに腕を通した状態となる。そして、設置機器の一端部側のリフトストラップを第１の使用者側の連結部に連結し、設置機器の他端部側のリフトストラップを第２の使用者側の連結部に連結した状態で、第１の使用者及び第２の使用者によって設置機器が持ち上げられる。
【０００９】
このため、本態様では、設置機器とリフトストラップとの連結状態が維持され、当該設置機器の運搬時において、当該設置機器の落下を抑制することができる。また、運搬時において、設置機器を４点で支持することができるため、設置機器の揺れ等による影響を抑制することができる。さらに、第１の使用者及び第２の使用者とのそれぞれにリフトハーネスを装着させて、設置機器を運搬するため、設置機器の底面を手で支持する構成と比し、膝を使ってゆっくりと設置機器を降ろすことができるので荷下ろし時の衝撃を抑制することができる。加えて、第１の使用者及び第２の使用者は、それぞれリフトハーネスの環状ストラップに腕を通しているため、第１の使用者及び第２の使用者は肩全体で設置機器を支持することが可能となる。その結果、第１の使用者及び第２の使用者の身体的負担を抑制することができると共に、第１の使用者及び第２の使用者の両手の自由を確保することができる。
【００１０】
第２態様に係る設置機器の運搬方法は、第１態様に係る設置機器の運搬方法において、前記被挿通部は、前記設置機器の両端部のそれぞれにおける下方側に互いに離間して設けられた一対の脚部にそれぞれ設けられている。
【００１１】
第２態様に係る設置機器の運搬方法では、設置機器の両端部のそれぞれに互いに離間して設けられた一対の脚部にそれぞれ被挿通部が設けられているため、同じ部材を設置機器の据付と運搬に用いることができる。また、設置機器の脚部は、当該設置機器の両端部の下方側に設けられている。このため、設置機器の側面に運搬用の取手を設ける場合と比し、設置機器の設置に必要なスペースを小さくすることができると共に、設置機器の筐体に必要な強度を低減し、設置機器の低コスト化及び軽量化を図ることができる。
【００１２】
第３態様に係る設置機器の運搬方法は、第１態様又は第２態様に係る設置機器の運搬方法において、前記被挿通部は、前記設置機器の長手方向の端部に設けられている。
【００１３】
第３態様に係る設置機器の運搬方法では、被挿通部が設置機器の長手方向の端部に配置されているため、設置機器の大きさを確保しつつ幅狭の通路や直角に曲がる通路を通り易くすることができる。
【発明の効果】
【００１４】
以上説明したように、第１の態様に係る設置機器の運搬方法は、安定した状態での設置機器の運搬を可能にすることができるという優れた効果を有する。
【図面の簡単な説明】
【００１５】
【図１】第１実施形態に係る設置機器の運搬方法に用いられるリフトストラップ及びリフトハーネスと設置機器との関係を示す側面図である。
【図２】第１実施形態に係る設置機器の運搬方法で設置機器が運搬されている状態を示す側面図である。
【図３】第１実施形態に係る設置機器の運搬方法で設置機器が運搬されている状態において、リフトハーネスの使用者を正面から見た状態を示す正面図である。
【図４】第１実施形態に係る設置機器の構成を示す斜視図である。
【図５】第２実施形態に係る設置機器の構成を示す斜視図である。
【図６】第２実施形態に係る設置機器の設置状態を示す斜視図である。
【発明を実施するための形態】
【００１６】
以下、図１〜図４を用いて、本発明に係る設置機器の運搬方法の第１実施形態について説明する。まず、図４を用いて、本実施形態に係る設置機器の運搬方法で運搬される設置機器としての「燃料電池ユニット１０」の構成について説明する。
【００１７】
燃料電池ユニット１０は、その外殻を構成する鋼製の筐体１２と、当該筐体１２の下方側に設けられた複数の鋼製の「脚部１４」とを含んで構成されている。筐体１２は、その外形が直方体状に構成されていると共に、それぞれ板状に構成された、上壁部１２Ａ、下壁部１２Ｂ、正面壁部１２Ｃ、後面壁部１２Ｄ及び一対の側壁部１２Ｅを含んで構成されている。なお、上壁部１２Ａ、下壁部１２Ｂ、正面壁部１２Ｃ、後面壁部１２Ｄ及び側壁部１２Ｅ説明の都合上付した名称であり、表面の意匠性の違いや設置状態での向きを限定するものではない。
【００１８】
詳しくは、上壁部１２Ａは、筐体１２の上面を構成しており、その板厚方向を筐体１２の高さ方向とされて筐体１２の長手方向に延在している。一方、下壁部１２Ｂは、筐体１２の下面を構成しており、その板厚方向を筐体１２の高さ方向とされて筐体１２の長手方向に延在している。
【００１９】
また、正面壁部１２Ｃは、筐体１２の長手方向一方側の端部１２Ｆにおいて、当該筐体１２の正面を構成しており、その長手方向を筐体１２の高さ方向とされて配置されている。一方、後面壁部１２Ｄは、筐体１２の長手方向他方側の端部１２Ｇにおいて、当該筐体１２の後面を構成しており、その長手方向を筐体１２の高さ方向とされて配置されている。
【００２０】
そして、側壁部１２Ｅは、それぞれ筐体１２の側面を構成しており、板厚方向を筐体１２の短手方向とされて、当該筐体１２の長手方向に延在している。また、上記のように構成された筐体１２の内側には、各種機器が収納されている。
【００２１】
詳しくは、筐体１２の内側には、それぞれ図示しない燃料電池モジュール、排気熱交換機、貯湯タンク、上水熱交換器及び各種ポンプ等が配置されており、燃料電池ユニット１０は、燃料ガス、水及び空気を用いて発電を行うことが可能な蓄熱ユニット一体型とされている。
【００２２】
一方、脚部１４は、筐体１２の端部１２Ｆ、１２Ｇのそれぞれに配置されており、下壁部１２Ｂの下面に筐体１２の長手方向に一対となって設けられていると共に、対を成す脚部１４同士が筐体１２の短手方向に互いに離間している。換言すれば、脚部１４は、下壁部１２Ｂの下面における四隅に配置されている。
【００２３】
詳しくは、脚部１４は、筐体１２の短手方向から見て、筐体１２の上方側に開放されたハット状に構成されており、下壁部１２Ｂへの取付に用いられる一対のフランジ部１４Ａと燃料電池ユニット１０の設置状態での支持に用いられる支持部１４Ｂとを含んで構成されている。なお、脚部１４は、筐体１２の高さ方向から見ると、筐体１２の長手方向に延在する矩形状とされている。
【００２４】
支持部１４Ｂは、筐体１２の短手方向から見て、筐体１２の上方側に開放されて当該上方側に向かうに従って拡幅された台形枠状とされており、下壁部１２Ｂと共に当該短手方向から見て台形状の「被挿通部１６」を構成している。なお、支持部１４Ｂを筐体１２の上方側に開放された矩形枠状として、被挿通部１６を筐体１２の短手方向から見て矩形状に構成してもよい。また、脚部１４が上記のように配置されているため、被挿通部１６は、燃料電池ユニット１０の長手方向両端部のそれぞれにおける下方側に燃料電池ユニット１０の短手方向を挿通方向としてかつ当該挿通方向と直交する方向に離間して一対となって配置されている。なお、本実施形態では、二対の脚部１４で二対の被挿通部１６が構成された状態となっている。また、被挿通部１６には、後述する「リフトストラップ１８」を挿通することが可能となっている。
【００２５】
一方、フランジ部１４Ａは、支持部１４Ｂの長手方向の周縁部からそれぞれ延出されており、図示しない締結部や図示しない接合部を介して筐体１２の下壁部１２Ｂに取り付けられている。
【００２６】
次に、図１〜図３を用いて、燃料電池ユニット１０の運搬に用いられるリフトストラップ１８及び「リフトハーネス２０」の構成について説明する。図２に示されるように、筐体１２の端部１２Ｆ側（燃料電池ユニット１０の一端部側）は、第１の使用者としての「使用者２２」によって持ち上げられると共に、筐体１２の端部１２Ｇ側（燃料電池ユニット１０の他端部側）は第２の使用者としての「使用者２４」によって持ち上げられる。そして、リフトストラップ１８及びリフトハーネス２０は、使用者２２及び使用者２４のそれぞれに同様に用いられている。したがって、以下では、使用者２２が使用している状態のリフトストラップ１８及びリフトハーネス２０を例に挙げて、これらの構成について説明していくこととする。
【００２７】
図１及び図３に示されるように、リフトストラップ１８は、所定の長さの帯状とされてナイロン繊維等で構成されたベルト部２６と、バックル２８とを含んで構成されている。このリフトストラップ１８は、そのベルト部２６が筐体１２の端部１２Ｆ側に配置された一対の被挿通部１６に挿通されて、当該ベルト部２６の一方側と他方側とがバックル２８で接続された状態で筐体１２に取り付けられている。
【００２８】
一方、リフトハーネス２０は、図３に示されるように、パッド部３０、一対の「環状ストラップ３２、３４」及び連結部としての「カラビナ３６、３８」を含んで構成されている。パッド部３０は、使用者２２の背部に沿って配置された図示しない本体部と、当該本体部における使用者２２の左肩側から左胸の前側に向かって延びる延出部３０Ａと、当該本体部における使用者２２の右肩側から右胸の前側に向かって延びる延出部３０Ｂと、を備えている。なお、図２には、パッド部３０を図示していない。
【００２９】
環状ストラップ３２は、その一端部が縫製部４０で延出部３０Ａに取り付けられると共に、燃料電池ユニット１０側に凸となる弧を描きながら使用者２２の左腰及び背中を経由しつつ右胸の前側まで延びており、その他端部側が延出部３０Ｂに取り付けられたバックル４２に係止されている。つまり、環状ストラップ３２は、使用者２２の側方から見ると環状となっており、使用者２２は、環状ストラップ３２に腕を通した状態となっている。また、環状ストラップ３２の燃料電池ユニット１０側に凸となる頂部には、当該環状ストラップ３２の一部を構成するフック４４が取り付けられている。そして、図１にも示されるように、フック４４は、カラビナ３６を介してリフトストラップ１８のベルト部２６に連結されている。
【００３０】
一方、環状ストラップ３４は、その一端部が縫製部４６で延出部３０Ｂに取り付けられると共に、燃料電池ユニット１０側に凸となる弧を描きながら使用者２２の右腰及び背中を経由しつつ左胸の前側まで延びており、その他端部側が延出部３０Ａに取り付けられたバックル４８に係止されている。つまり、環状ストラップ３４は、使用者２２の側方から見ると環状となっており、使用者２２は、環状ストラップ３４に腕を通した状態となっている。また、環状ストラップ３４の燃料電池ユニット１０側に凸となる頂部には、当該環状ストラップ３４の一部を構成するフック５０が取り付けられている。そして、フック５０は、カラビナ３８を介してリフトストラップ１８のベルト部２６に連結されている。なお、上述した環状ストラップ３２及び環状ストラップ３４は、使用者２２の背部で交差した状態となっている。
【００３１】
（本実施形態の作用及び効果）
次に、本実施形態の作用及び効果を説明する。
【００３２】
本実施形態では、図１及び図２に示されるように、外形が直方体状の燃料電池ユニット１０の両端部のそれぞれにおける下方側に、燃料電池ユニット１０の短手方向を挿通方向としてかつ当該挿通方向と直交する方向に離間して一対の被挿通部１６が配置されている。そして、燃料電池ユニット１０の両端部のそれぞれにおいて、被挿通部１６には、リフトストラップ１８が挿通され、リフトストラップ１８は、その一方側と他方側とが接続される。なお、燃料電池ユニット１０の一端部側において、燃料電池ユニット１０の短手方向に離間した２つの被挿通部１６にリフトストラップ１８が挿通された状態となっている。
【００３３】
一方、リフトストラップ１８に連結されるリフトハーネス２０は、使用者２２と使用者２４とのそれぞれに装着される。このリフトハーネス２０は、一対の環状ストラップ３２、３４と、当該環状ストラップ３２、３４とリフトストラップ１８とを連結するカラビナ３６、３８とを備えており、使用者２２及び使用者２４は、環状ストラップ３２、３４のそれぞれに腕を通した状態となる。そして、燃料電池ユニット１０の一端部側のリフトストラップ１８を使用者２２側のカラビナ３６、３８に連結し、燃料電池ユニット１０の他端部側のリフトストラップ１８を使用者２４側のカラビナ３６、３８に連結した状態で、使用者２２、２４によって燃料電池ユニット１０が持ち上げられる。
【００３４】
このため、本実施形態では、燃料電池ユニット１０とリフトストラップ１８との連結状態が維持され、燃料電池ユニット１０の運搬時において、燃料電池ユニット１０の落下を抑制することができる。
【００３５】
また、運搬時において、燃料電池ユニット１０を４点で支持することができるため、燃料電池ユニット１０の揺れ等による影響、具体的には、燃料電池ユニット１０の傾倒等を抑制することができる。さらに、使用者２２及び使用者２４とのそれぞれにリフトハーネス２０を装着させて、燃料電池ユニット１０を運搬するため、燃料電池ユニット１０の底面を手で支持する構成と比し、膝を使ってゆっくりと燃料電池ユニット１０を降ろすことができるので荷下ろし時の衝撃を抑制することができる。
【００３６】
加えて、使用者２２及び使用者２４は、それぞれリフトハーネス２０の環状ストラップ３２、３４に腕を通しているため、使用者２２及び使用者２４は肩全体で燃料電池ユニット１０を支持することが可能となる。その結果、使用者２２及び使用者２４の身体的負担を抑制することができると共に、使用者２２及び使用者２４の両手の自由を確保することができる。したがって、本実施形態では、安定した状態、具体的には傾倒等が抑制された状態での燃料電池ユニット１０の運搬を可能にすることができる。
【００３７】
また、本実施形態では、燃料電池ユニット１０の両端部のそれぞれに互いに離間して設けられた一対の脚部１４にそれぞれ被挿通部１６が設けられているため、同じ部材を燃料電池ユニット１０の据付と運搬に用いることができる。さらに、燃料電池ユニット１０の脚部１４は、燃料電池ユニット１０の両端部の下方側に設けられている。このため、燃料電池ユニット１０の側面に運搬用の取手を設ける場合と比し、燃料電池ユニット１０の設置に必要なスペースを小さくすることができると共に、燃料電池ユニット１０の筐体１２に必要な強度を低減し、燃料電池ユニット１０の低コスト化及び軽量化を図ることができる。
【００３８】
加えて、本実施形態では、被挿通部１６が燃料電池ユニット１０の長手方向の端部に配置されているため、燃料電池ユニット１０の大きさを確保しつつ幅狭の通路や直角に曲がる通路を通り易くすることができる。
【００３９】
＜第２実施形態＞
以下、図５及び図６を用いて、本発明に係る設置機器の運搬方法の第２実施形態について説明する。なお、上述した第１実施形態と同一構成部分については同一番号を付してその説明を省略する。
【００４０】
本実施形態では、設置機器としての「燃料電池ユニット６０」の筐体６２に「被挿通部６４、６６」が設けられていると共に、燃料電池ユニット６０が脚部を備えていない点が、上述した燃料電池ユニット１０と異なるが、これ以外の構成については同様である。
【００４１】
図５に示されるように、本実施形態では、筐体６２の内側において、正面壁部６２Ａと側壁部６２Ｂとの境界部及び後面壁部６２Ｃと側壁部６２Ｂとの境界部に、それぞれ補強部材６８が配置されている。
【００４２】
補強部材６８は、筐体６２の高さ方向を長手方向として配置されており、一例として、当該長手方向から見た断面形状がＬ字状の鋼材（アングル材）で構成されている。この補強部材６８は、筐体６２の長手方向一方側の端部６２Ｄ側において、正面壁部６２Ａ及び側壁部６２Ｂに沿って配置されており、筐体６２の長手方向他方側の端部６２Ｅにおいて、後面壁部６２Ｃ及び側壁部６２Ｂに沿って配置されている。
【００４３】
そして、一対の側壁部６２Ｂの長手方向両端部のそれぞれにおける下方側の部分には、燃料電池ユニット６０の短手方向に離間しかつ一対となって被挿通部６４が設けられており、これらは、その挿通方向（矢印Ｗ方向）を当該離間方向とされた状態となっている。この被挿通部６４は、筐体６２の短手方向から見て、その長手方向を筐体６２の長手方向とされた矩形状とされていると共に、側壁部６２Ｂ及び補強部材６８が貫通されて形成されている。なお、被挿通部６４には、上述したリフトストラップ１８を挿通することが可能となっている。
【００４４】
一方、正面壁部６２Ａ及び後面壁部６２Ｃの筐体６２の短手方向両端部のそれぞれにおける下方側の部分には、燃料電池ユニット６０の長手方向に離間しかつ一対となって被挿通部６６が設けられており、これらは、その挿通方向（矢印Ｌ方向）を当該離間方向とされた状態となっている。この被挿通部６６は、筐体６２の長手方向から見て、その長手方向を筐体６２の短手方向とされた矩形状とされていると共に、正面壁部６２Ａ、後面壁部６２Ｃ及び補強部材６８が貫通されて形成されている。なお、被挿通部６６には、上述したリフトストラップ１８を挿通することが可能となっている。
【００４５】
（本実施形態の作用及び効果）
次に、本実施形態の作用及び効果を説明する。
【００４６】
本実施形態では、筐体６２に被挿通部６４が設けられており、当該被挿通部６４を用いることで、上述した第１実施形態と同様に燃料電池ユニット６０を運搬することができる。したがって、本実施形態でも脚部１４による作用並びに効果を除き、上述した第１実施形態と同様の作用並びに効果を奏することができる。
【００４７】
また、本実施形態では、筐体６２に被挿通部６６が設けられており、使用者２２及び使用者２４は、燃料電池ユニット６０の短手方向の両端部をリフトストラップ１８及びリフトハーネス２０で持ち上げることができる。
【００４８】
さらに、本実施形態では、被挿通部６４、６６が筐体６２に設けられているため、図６に示されるように、被挿通部６４、６６を位置決めに用いて固定金具６８を筐体６２に取り付けた状態で、固定金具６８を据付箇所（基礎）７０に固定することができる。
【００４９】
＜上記実施形態の補足説明＞
（１）  上述した実施形態では、リフトストラップ１８の一方側と他方側とがバックル２８で接続されていたが、これに限らない。例えば、カラビナ３６、３８を連結部として機能するバッククルに接続し、当該バックルにリフトストラップ１８の一方側と他方側とを連結してもよい。
【００５０】
（２）  また、上述した実施形態では、挿通方向が同じ被挿通部が、燃料電池ユニットの長手方向又は短手方向に離間して配置されていたが、これに限らない。例えば、燃料電池ユニットの長手方向又は短手方向に延在する角パイプを、その延在方向と直交する方向に離間して一対で配置し、当該角パイプの内側を被挿通部として用いてもよい。
【００５１】
（３）  さらに、上述した第１実施形態では、被挿通部１６の挿通方向が燃料電池ユニット１０の短手方向となるように脚部１４が配置されていたが、当該挿通方向が燃料電池ユニット１０の長手方向となるように脚部１４が配置されていてもよい。
【００５２】
（４）  加えて、上述した第２実施形態では、筐体６２の高さ方向に延びる補強部材６８を筐体６２の内側において四隅に配置したが、これに限らない。例えば、筐体６２の内側における下方側に、筐体６２の高さ方向から見て矩形枠状とされて正面壁部６２Ａ、側壁部６２Ｂ及び後面壁部６２Ｃに沿う補強部材を配置し、当該補強部材に被挿通部６４、６６を設ける構成としてもよい。
【符号の説明】
【００５３】
１０      燃料電池ユニット（設置機器）
１４      脚部
１６      被挿通部
１８      リフトストラップ
２０      リフトハーネス
２２      使用者（第１の使用者）
２４      使用者（第２の使用者）
３２      環状ストラップ
３４      環状ストラップ
３６      カラビナ（連結部）
３８      カラビナ（連結部）
６０      燃料電池ユニット（設置機器）
６４      被挿通部
６６      被挿通部
【図１】
2018177522.tif 000003
【図２】
2018177522.tif 000004
【図３】
2018177522.tif 000005
【図４】
2018177522.tif 000006
【図５】
2018177522.tif 000007
【図６】
2018177522.tif 000008
【手続補正書】
【提出日】平成29年9月14日(2017.9.14)
【手続補正１】
【補正対象書類名】明細書
【補正対象項目名】０００６
【補正方法】変更
【補正の内容】
【０００６】
第１態様に係る設置機器の運搬方法は、外形が直方体状の設置機器の運搬方法であって、前記設置機器の両端部のそれぞれにおける下方側に当該設置機器の長手方向又は短手方向を挿通方向として当該挿通方向と直交する方向に離間して配置された一対の孔である被挿通部のそれぞれに、リフトストラップを通して当該リフトストラップの一方側と他方側とを接続し、一対の環状ストラップと、当該環状ストラップと前記リフトストラップとを連結する連結部と、を備えたリフトハーネスを当該環状ストラップのそれぞれに腕を通した状態で第１の使用者と第２の使用者とがそれぞれ装着し、前記設置機器の一端部側のリフトストラップを第１の使用者に装着されたリフトハーネスの前記連結部に連結し、当該設置機器の他端部側のリフトストラップを第２の使用者に装着されたリフトハーネスの前記連結部に連結させている。
【手続補正２】
【補正対象書類名】明細書
【補正対象項目名】０００７
【補正方法】変更
【補正の内容】
【０００７】
第１態様に係る設置機器の運搬方法では、外形が直方体状の設置機器の両端部のそれぞれにおける下方側に、当該設置機器の長手方向又は短手方向を挿通方向としてかつ当該挿通方向と直交する方向に離間して一対の孔である被挿通部が配置されている。そして、設置機器の両端部のそれぞれにおいて、孔である被挿通部には、リフトストラップが挿通され、当該リフトストラップは、その一方側と他方側とが接続される。なお、ここでいう「接続」には、直接接続される状態のみでなく、部材等を介して間接的に接続される状態も含まれる。
【手続補正３】
【補正対象書類名】特許請求の範囲
【補正対象項目名】全文
【補正方法】変更
【補正の内容】
【特許請求の範囲】
【請求項１】
外形が直方体状の設置機器の運搬方法であって、
前記設置機器の両端部のそれぞれにおける下方側に当該設置機器の長手方向又は短手方向を挿通方向として当該挿通方向と直交する方向に離間して配置された一対の孔である被挿通部のそれぞれに、リフトストラップを通して当該リフトストラップの一方側と他方側とを接続し、
一対の環状ストラップと、当該環状ストラップと前記リフトストラップとを連結する連結部と、を備えたリフトハーネスを当該環状ストラップのそれぞれに腕を通した状態で第１の使用者と第２の使用者とがそれぞれ装着し、
前記設置機器の一端部側のリフトストラップを第１の使用者に装着されたリフトハーネスの前記連結部に連結し、当該設置機器の他端部側のリフトストラップを第２の使用者に装着されたリフトハーネスの前記連結部に連結させる、
設置機器の運搬方法。
【請求項２】
前記被挿通部は、前記設置機器の両端部のそれぞれにおける下方側に互いに離間して設けられた一対の脚部にそれぞれ設けられている、
請求項１に記載の設置機器の運搬方法。
【請求項３】
前記被挿通部は、前記設置機器の長手方向の端部に設けられている、
請求項１又は請求項２に記載の設置機器の運搬方法。